(57)【要約】 【課題】  製本等のため用紙を四つ折りまたは八つ折り等、所用の形態に折り曲げるための紙折り機であって、紙折作業時の騒音発生の減少化を図るための消音機能を有するようにした紙折り機の提供を図る。【解決手段】  案内用羽根R2に取り付けられる紙案内用ガイドＵの先端面に形成のガイド面ｕとして、当該ガイド面ｕに対する紙材Ｐの折曲げ縁の衝接が、当該ガイド面ｕの全長全てに衝接することを回避するための非接触用部分を形成したガイド面とするように構成した消音機能を備えた紙折り機。【選択図】  図３
2005247492.tif 000002
【特許請求の範囲】
【請求項１】
案内用羽根(R2)に取り付けられる紙案内用ガイド(Ｕ)の先端面に形成のガイド面(ｕ)として、当該ガイド面(ｕ)に対する紙材(Ｐ)の折曲げ縁の衝接が、当該ガイド面(ｕ)の全長全てに衝接することを回避するための非接触用部分を形成したガイド面としたことを特徴とする消音機能を備えた紙折り機。
【請求項２】
ガイド面(ｕ)の形態を、当該案内面の案内方向に凹溝(ａ)を切設すると共に、当該凹溝(ａ)は当該案内面の長手方向に適宜間隔で並べて設けるように構成した請求項１に記載の消音機能を備えた紙折り機。
【請求項３】
ガイド面(ｕ)の形態を、当該案内面の後半部分は既存の面一な案内面とすると共に、その前半部分に対して、その案内方向に凹溝(ｂ)を切設すると共に、当該凹溝(ｂ)は当該案内面の長手方向に適宜間隔で並べて設けるように構成した請求項１に記載の消音機能を備えた紙折り機。
【請求項４】
ガイド面(ｕ)の形態を、当該案内面の後半部分は既存の面一な案内面とすると共に、その前半部分に対して、凹み穴(ｃ)を形成すると共に、当該凹み穴(ｃ)は当該案内面の長手方向に列設するように構成した請求項１に記載の消音機能を備えた紙折り機。
【請求項５】
ガイド面(ｕ)の形態を、ガイド面(ｕ)の表面長手方向に、一体または別体成形するようにした案内用凸部(ｄ)を列設するように構成した請求項１に記載の消音機能を備えた紙折り機。
【請求項６】
ガイド面(ｕ)の形態を、当該案内面の後半部分は既存の面一な案内面とすると共に、その前半部分に対して、案内用凸部(ｅ)を列設するように構成した請求項１に記載の消音機能を備えた紙折り機。
【請求項７】
紙案内用ガイド(Ｕ)の先端に対して、板材で形成した案内面形成片(Ｖ)を取付けるように構成し、当該案内片(Ｖ)の案内面(ｖ)の後半部分は面一な案内面とすると共に、その前半部分には案内方向に凹溝(ｆ)を切設し、当該凹溝(ｆ)は当該案内面(ｖ)の長手方向に適宜間隔で並べて設けるように構成した請求項１に記載の消音機能を備えた紙折り機。
【請求項８】
紙案内用ガイド(Ｕ)の先端に対して、板材で形成した案内面形成片(Ｖ)を取付けるように構成し、当該案内片(Ｖ)の案内面(ｖ)全体に、その案内方向に凹溝(ｇ)を切設すると共に、当該凹溝(ｇ)は当該案内面の長手方向に適宜間隔に並べて設けるように構成した請求項１に記載の消音機能を備えた紙折り機。
【請求項９】
紙案内用ガイド(Ｕ)の先端に対して、板材で形成した案内面形成片(Ｖ)を取付けるように構成し、当該案内片Ｖの案内面(ｖ)における後半部分は面一な案内面とすると共に、その前半部分に凹み穴(ｈ)を形成し、当該凹み穴(ｈ)は当該案内面(ｖ)の長手方向に列設するように構成した請求項１に記載の消音機能を備えた紙折り機。
【発明の詳細な説明】
【技術分野】
【０００１】
本発明は、製本等のため用紙を四つ折りまたは八つ折り等、所用の形態に折り曲げるための紙折り機であって、紙折作業時の騒音発生の減少化を図るための消音機能を有するようにした紙折り機に関する。
【背景技術】
【０００２】
従来の紙折り機は、作業時の騒音発生に対する配慮を図ったものはなかった。  すなわち、紙折り機における騒音発生の源は、紙折ロール配置機構部に設けられている突き当て機構に対する紙材の衝突に基づくものが大半である。  然し乍、従来の紙折り機にあっては、当該部分から発する騒音に対する消音効果を図った紙折り機は、実用に適したものは存在しなかった。  すなわち、従来の紙折り機はこのような消音に対する配慮を施したものではなかつた。（例えば、特許文献１参照。）
そして、特許文献１の図１に示すように、紙折ロール配置機構部に設けられている突き当て機構には、消音作用を奏させるための特別の対応を採ってはいないものである。
【特許文献１】特開平５−２０１６１０号
【０００３】
すなわち、従来の紙折り機における案内用羽根における紙案内用ガイドＵの構成は、図１１に示すように、そのガイド面ｕはフラットなものであった。  そのため、送られてくる紙材は、紙折り時に二つ折り等の状態で、その端縁全体が当該ガイド面ｕの全長に渡って接触するような状態で衝接する結果、大きな衝接音を発生することとなった。
【発明の開示】
【発明が解決しようとする課題】
【０００４】
上述したように、紙折り機における騒音発生の主たる原因は、紙折ロール配置機構部に設けられている突き当て機構に対する紙材の衝突に基づくものが大半である。  そして、従来では、これを解消するための積極的な対応は何ら採られておらず、僅かに、作業場に防音設備を施すか、或いは、作業中の作業員が耳栓をする等の消極的対応が採られていたに過ぎないものであった。
【０００５】
然し乍、作業場に防音設備を施しても、外に漏れる音の減少化はそれほど期待できず、ましてや、中にいる作業員に恩恵をもたらすものでは全く無い。  また、作業員が耳栓をした場合、当該騒音に対する防御手段とはなるが、これと同時に他の音が聞こえなくなるため、異音発生等の確認、作業指示の聞取りの不能性等から、作業上の危険性をもたらすことを余儀なくされた。
【０００６】
本発明は、紙折り機自体に騒音発生の抑制化を図るような機能を付加し、これにより、上記のような従来の問題を解決した新規の紙折り機の提供を図ったものである。
【課題を解決するための手段】
【０００７】
本発明は、案内用羽根R2に取り付けられる紙案内用ガイドＵの先端面に形成のガイド面ｕとして、当該ガイド面ｕに対する紙材Ｐの折曲げ縁の衝接が、当該ガイド面ｕの全長全てに衝接することを回避するための非接触用部分を形成したガイド面としたことを特徴とする消音機能を備えた紙折り機に係るものである。
【０００８】
そして本発明は、下記する構成を実施態様とするものである。
(1)  ガイド面ｕの形態を、当該案内面の案内方向に凹溝ａを切設すると共に、当該凹溝ａは当該案内面の長手方向に適宜間隔で並べて設けるようにした構成。
(2)  ガイド面ｕの形態を、当該案内面の後半部分は既存の面一な案内面とすると共に、その前半部分に対して、その案内方向に凹溝ｂを切設すると共に、当該凹溝ｂは当該案内面の長手方向に適宜間隔で並べて設けるように構成した請求項１に記載の消音機能を備えた紙折り機。
(3)  ガイド面ｕの形態を、当該案内面の後半部分は既存の面一な案内面とすると共に、その前半部分(紙材のあたる部分)に対して、凹み穴ｃを形成すると共に、当該凹み穴ｃは当該案内面の長手方向に列設するようにした構成。
(4)  ガイド面ｕの形態を、ガイド面ｕの表面長手方向に、一体または別体成形するなどした案内用凸部ｄを列設するようにした構成。
(5)  ガイド面ｕの形態を、当該案内面の後半部分は既存の面一な案内面とすると共に、その前半部分に対して、案内用凸部ｅを列設するようにした構成。
(6)   紙案内用ガイドＵの先端に対して、板材で形成した案内面形成片Ｖを取付けるように構成し、当該案内片Ｖの案内面ｖの後半部分は面一な案内面とすると共に、その前半部分には案内方向に凹溝ｆを切設し、当該凹溝ｆは当該案内面ｖの長手方向に適宜間隔で並べて設けるようにした構成。
(7)   紙案内用ガイドＵの先端に対して、板材で形成した案内面形成片Ｖを取付けるように構成し、当該案内片Ｖの案内面ｖの全体に、その案内方向に凹溝ｇを切設すると共に、当該凹溝ｇは当該案内面の長手方向に適宜間隔で並べて設けるようにした構成。
(8)   紙案内用ガイドＵの先端に対して、板材で形成した案内面形成片Ｖを取付けるように構成し、当該案内片Ｖの案内面ｖにおける後半部分は面一な案内面とすると共に、その前半部分に凹み穴ｈを形成し、当該凹み穴ｈは当該案内面ｖの長手方向に列設するようにした構成。
【発明の効果】
【０００９】
本発明は、案内用羽根R2における紙案内用ガイドＵの先端面に形成されているガイド面ｕを、当該ガイド面ｕに衝接する紙材の折曲げ縁が、その全長全てが接触することを回避するための非接触用部分を、当該ガイド面ｕに形成するように構成したから、図２に示すように、案内用羽根R2における紙案内用ガイドＵに対する紙材Ｐの衝接が、その端部全体ではなく部分的衝接とされる。  従って、発生する衝接音は著しく減少化され、消音効果が発揮される。
【００１０】
そして、請求項２乃至請求項９に記載のような構成を採ることにより、上記したような「非接触用部分」の形成が、実用的に齟齬をきたさない形態での具体化が図られることとなる。
【発明を実施するための最良の形態】
【００１１】
図１は本発明に係る消音機能を備えた紙折り機の要部を表し、図２はその突き当て機構Ｂを拡大して示したものである。
【００１２】
図１及び図２において、１は基台、Ａは基台１の一側に設けた紙供給機構部、Ｂは基台１の中央部に設けた紙折り用ロール機構部、Ｃは基台１の他側に設けた紙折り済み紙材の取出し機構である。
折曲げ対象とする紙材は、紙供給機構部Ａから、紙折りロール機構部Ｂに送られると共に、ここで所定の紙折り行程が施された後、取出し機構Ｃを経て他の工程に送られるように構成してある。
【００１３】
また、上記した紙供給機構部Ａを経て紙折りロール配設機構部Ｂに送られてくる紙材Ｐは、その所定のロールを介して案内されて、突き当て機構Ｒにおける紙折り用羽根R1内に導かれる共に、当該紙折り用羽根R1内に前後進自在に収装されている突き出し板の先端に設けられているストッパーに当たってこれ以上の進入が阻止された際に、当該突き出し板の突出作動に基づき突き出され、これにより、突き当て機構Ｒにおける案内用羽根R2の先端に設けられているガイド面に当たって案内されることにより、当該紙材Ｐに対する折曲げ作用が奏される。
【００１４】
ところで、上記した紙折りロール配設機構部Ｂであるが、これは所要段数のロールの配設に基づき、四つ折りまたは八つ折り等、所定の紙折りが成されるものであるが、図１及び図２に於いては判り易くするために、最小段数のロールに省略して示してある。
【００１５】
そして同様に、突き当て機構Ｒも判り易くするために最小単位のものに省略して示してある。  すなわち、突き当て機構Ｒは、内部に送り込まれる紙材の長さを所定量に規制すると共に当該送込まれた紙材を突出すように構成した紙折り用羽根Ｒ１と、突き出された紙材Ｐをそのガイド面で受止めて当該紙材を折曲げるための案内用羽根R2とで対として一単位とし、これを折曲げ形態に応じて所要単位数設けるものであるが、同図に於いてはこれを省略して最小単位数だけを表してある。
そして、両羽根R1，R2は同一の機能を備えたものであるが、下記する紙案内ガイドＵを取付けることにより、その取付けられた方が案内用羽根として機能するように構成されている。
【００１６】
ところで、既存の紙折り機は、図２に示すように、送られてくる紙材Ｐは、ロールの回転に伴いその先端が紙折り用羽根Ｒ１内に所定長さ送込まれた後に、これ以上の前進を阻止するようになっている。  従って、当該前進阻止に基づき紙材Ｐは座屈を生じ、その座屈縁が案内用羽根R2の紙案内用ガイドＵに形成したガイド面ｕに衝接させられる。  この状態に於いて、紙折り用羽根Ｒ１の突き出し作用に基づき、当該紙折り用羽根Ｒ内から離脱し、ロールの回転力に基づき他の工程に送られると同時に、紙折り用羽根Ｒによる所定の紙折り作用が行われるように構成されている。
そして、このような羽根を所要セット装備することにより(図示の実施例あっては１セットに略示してある)、所要の段階的紙折り工程が行われるように構成されている。
【００１７】
なお、以上述べたような紙折り機としての構成及び作用は、紙折り機の基本的な構成及び作用であり公知技術に属するものである。  従って、当該事項に関する細部にわたる説明は省略する。
【００１８】
ところで、上述したような紙折り作動中、紙材Pが折曲げのための座屈が生じて、その座屈縁が案内用羽根R2の紙案内用ガイドＵに形成したガイド面ｕに対して衝接させられ際、極めて大きな衝突音が発生し、これが騒音発生の大きな原因となっていた。
【００１９】
本発明は、上述したような従来の紙折り機に於いて、案内用羽根R2部分から発生する騒音の減少化を図ったものである。
【００２０】
すなわち本発明は、案内用羽根R2における紙案内用ガイドＵの構成に特徴を有するものである。  具体的には、案内用羽根R2における紙案内用ガイドＵの先端面に形成されているガイド面ｕを、当該ガイドｕに衝接する紙材の折曲げ縁が、その全長の全てが接触することを回避するための非接触用部分を、当該ガイド面ｕに形成するようにしたことを要旨構成とするものである。
そして、上記した非接触部分が広ければ広いほど、すなわち、ガイド面ｕに対する紙材の接触面が少なければ少ないほど、騒音発生が抑えられることとなる。
以下、本発明の具体的実施例を図面について詳細に説明する。
【００２１】
図３は本発明の第１実施例を表したものである。  これは、紙案内用ガイドＵの先端に形成されているガイド面ｕの形態を、当該案内面の案内方向に凹溝ａを切設すると共に、当該凹溝ａは当該案内面の長手方向に適宜間隔で並べて設けるように構成したものである。
なお、図示の実施例にあっては、当該凹溝ａの溝幅は、これの形成に伴い残存する案内面部分の幅より大きくするように形成してあるが、これに限定されることはない、すなわち、当該凹溝ａの溝幅は、これの形成に伴い残存する案内面部分の幅と等しいか、或いはこれよりより小さくするように構成しても良い。
【００２２】
図４は本発明の第２実施例を表したものである。  これは、紙案内用ガイドＵの先端に形成されているガイド面uの形態を、当該案内面の後半部分は既存の面一な案内面とすると共に、その前半部分(紙材のあたる部分)に対して、その案内方向に凹溝ｂを切設すると共に、当該凹溝ｂは当該案内面の長手方向に適宜間隔で並べて設けるように構成したものである。
なお、図示の実施例にあっては、当該凹溝ｂの溝幅は、これの形成に伴い残存する案内面部分の幅より大きくするように形成してあるが、これに限定されることはない、すなわち、当該凹溝ｂの溝幅は、これの形成に伴い残存する案内面部分の幅と等しいか、或いはこれよりより小さくするように構成しても良い。
【００２３】
図５は本発明の第３実施例を表したものである。  これは、紙案内用ガイドＵの先端に形成されているガイド面ｕの形態を、当該案内面の後半部分は既存の面一な案内面とすると共に、その前半部分(紙材のあたる部分)に対して、凹み穴ｃを形成すると共に、当該凹み穴ｃは当該案内面の長手方向に列設するように構成したものである。  なお、図示の実施例にあっては当該凹み穴ｃは円穴としてあるが、本発明にあっては凹み穴ｃの形状上の限定性はない。
【００２４】
図6は本発明の第４実施例を表したものである。  これは、紙案内用ガイドＵの先端に形成されているガイド面ｕの形態を、前述した第一の実施例の場合と逆に、ガイド面ｕの表面長手方向に、一体または別体成形するなどした案内用凸部ｄを列設するように構成したものである。
【００２５】
図７は本発明の第５実施例を表したものである。  これは、紙案内用ガイドＵの先端に形成されているガイド面ｕの形態を、前述した第二の実施例の場合と逆に、紙案内用ガイドＵの先端に形成されているガイド面ｕの形態を、当該案内面の後半部分は既存の面一な案内面とすると共に、その前半部分(紙材のあたる部分)に対して、一体または別体形成するなどした案内用凸部ｅを列設するように構成したものである。
【００２６】
図８乃至図９に示す実施例は、本発明の第６乃至第８実施例を表したものであって、これは、紙案内用ガイドＵに対して、板材等別体の部材で形成した案内面を、アダプター的に固設するように構成した場合の実施例である。  
【００２７】
図８は本発明の第６実施例を表したものであって、これは、紙案内用ガイドＵの先端に対して、板材で形成した案内面形成片Ｖを取付けるように構成すると共に、当該案内片Ｖの案内面ｖにおける後半部分は面一な案内面とすると共に、その前半部分(紙材のあたる部分)に対して、その案内方向に凹溝ｆを切設すると共に、当該凹溝ｆは当該案内面の長手方向に適宜間隔で並べて設けるように構成したものである。
【００２８】
図９は本発明の第７実施例を表したものであって、これは、紙案内用ガイドＵ先端に対して、板材で形成した案内面形成片Ｖを取付けるように構成すると共に、当該案内片Ｖの案内面ｖの全体に対して、その案内方向に凹溝ｇを切設すると共に、当該凹溝ｇは当該案内面の長手方向に適宜間隔で並べて設けるように構成したものである。
【００２９】
図１０は本発明の第８実施例を表したものであって、これは、紙案内用ガイドＵの先端に対して、板材で形成した案内面形成片Ｖを取付けるように構成すると共に、当該案内片Ｖの案内面ｖにおける後半部分は面一な案内面とすると共に、その前半部分(紙材のあたる部分)に対して、凹み穴ｈを形成すると共に、当該凹み穴ｈは当該案内面の長手方向に列設するように構成したものである。  なお、図示の実施例にあっては、当該凹み穴ｈは円穴としてあるが、本発明にあっては凹み穴ｈの形状上の限定性はない。
【００３０】
本発明に係る消音機能を備えた紙折り機は、通常の紙折り機と同様にして使用に供するものである。
【００３１】
そして、本発明は既述したように、案内用羽根R2に取り付けられる紙案内用ガイドＵの先端面に形成のガイド面ｕとして、当該ガイド面ｕに対する紙材Ｐの折曲げ縁の衝接が、当該ガイド面ｕの全長全てに衝接することを回避するための非接触用部分を形成したガイド面とするように構成したから、図２に示すように、案内用羽根R2における紙案内用ガイドＵに対する紙材Ｐの衝接が、その端部全体ではなく部分的衝接とされる。  従って、発生する衝接音は著しく減少化され、消音効果が発揮されることとなる。
【図面の簡単な説明】
【００３２】
【図１】本発明に係る紙折り機の要部を表した正面図である。
【図２】本発明に係る紙折り機の要部を拡大して表した説明用略図である。
【図３】本発明の第一の実施例を表し、(イ)はその平面図、(ロ)はその正面図である。
【図４】本発明の第１実施例を表し、(イ)はその平面図、(ロ)はその正面図である。
【図５】本発明の第２実施例を表し、(イ)はその平面図、(ロ)はその正面図である。
【図６】本発明の第３実施例を表し、(イ)はその平面図、(ロ)はその正面図である。
【図７】本発明の第４実施例を表し、(イ)はその平面図、(ロ)はその正面図である。
【図８】本発明の第５実施例を表し、(イ)はその平面図、(ロ)はその正面図である。
【図９】本発明の第６実施例を表し、(イ)はその平面図、(ロ)はその正面図である。
【図１０】本発明の第７実施例を表し、(イ)はその平面図、(ロ)はその正面図である。
【図１１】従来例を表し、(イ)はその平面図、(ロ)はその正面図である。
【符号の説明】
【００３３】
１  基台
Ａ  紙供給機構部
Ｂ  紙折りロール配設機構部
Ｃ  紙折り済み紙材の取出し機構
Ｐ  紙材
Ｒ  突き当て機構
R1  紙折り用羽根
R2  案内用羽根
Ｕ  紙案内用ガイド
ｕ  ガイド面
ａ  凹溝
ｂ  凹溝
ｃ  凹み穴
ｄ  案内用凸部
ｅ  案内用凸部
Ｖ  案内面形成片
ｖ  案内面
ｆ  凹溝
ｇ  凹溝
ｈ  凹み穴
【図１】
2005247492.tif 000003
【図２】
2005247492.tif 000004
【図３】
2005247492.tif 000005
【図４】
2005247492.tif 000006
【図５】
2005247492.tif 000007
【図６】
2005247492.tif 000008
【図７】
2005247492.tif 000009
【図８】
2005247492.tif 000010
【図９】
2005247492.tif 000011
【図１０】
2005247492.tif 000012
【図１１】
2005247492.tif 000013